【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
トリアージ法であって、
複数の傷病者それぞれに対する負傷者重症度を確定し、コンピュータ記憶装置に格納する工程と、
前記負傷者重症度および資源利用可能性を考慮して複数の傷病者それぞれに対する治療順位をコンピュータの実施により決定する工程と、を有するものである。
【請求項２】
請求項１の方法において、
前記負傷者重症度はコード化された値の合計を含むものであって、
コード化された値は傷病者の呼吸数、脈拍、最良運動反応のそれぞれに対して割りあてられるものである。
【請求項３】
請求項２の方法において、
最良運動反応は神経状態の測定である。
【請求項４】
請求項１において、
負傷者重症度を確定する工程は、
前記複数の傷病者それぞれを４つの分類の内の１つに分類する工程であって、この４つの分類は、ＳＴＡＲＴとして知られるトリアージ法で用いられたような、軽治療群（Ａｍｂｕｌａｔｏｒｙ）、即治療群（Ｉｍｍｅｄｉａｔｅ）、死亡群（Ｅｘｐｅｃｔａｎｔ）待機治療群（Ｄｅｌａｙｅｄ）である、分類する工程と、
ＳＴＡＲＴの即治療群（Ｉｍｍｅｄｉａｔｅ）および待機治療群（Ｄｅｌａｙｅｄ）分類に分類された複数の傷病者それぞれに対して、負傷した身体の生理学的または解剖学的部位に関連した呼吸数、循環、および意識状態を評価し、前記コンピュータ記憶装置に格納する工程と、
即治療群（Ｉｍｍｅｄｉａｔｅ）および待機治療群（Ｄｅｌａｙｅｄ）分類に分類された複数の傷病者それぞれに対する生存率を決定、評価し、前記コンピュータ記憶装置に格納する工程であって、この生存率は前記負傷重症度を表すものである、前記決定、評価し、格納する工程と、を含むものである。
【請求項５】
請求項４の方法において、
前記生存率を決定する工程は、
負傷した身体の生理学的または解剖学的部位に関連した呼吸数、循環、意識状態の評価を考慮するものである。
【請求項６】
請求項１の方法において、
前記治療順位をコンピュータの実施により決定する工程は、
資源制約型トリアージのためのスコアに基づく数理的アルゴリズムを使用するものである。
【請求項７】
請求項１の方法において、
前記複数の傷病者それぞれに対する前記治療順位をコンピュータの実施により決定する工程は、
分析的または数理的計画法技術を含むものである。
【請求項８】
請求項７の方法において、
前記分析的または数理的計画法技術は、各傷病者が受けた負傷の種類、各傷病者の分類、および／または各傷病者に適切で利用可能な治療センターの種類を検討し、決定された治療順位を最大限にするものである。
【請求項９】
請求項７の方法において、
前記分析的または数理的計画法技術は、各負傷者重症度を有する負傷者生存率のデータに基づいた推定を用いるものである。
【請求項１０】
請求項９の方法において、
前記負傷者生存率は、先端技術若しくはそれより劣るレベルの治療の利用可能性と、負傷事故の原因と、前記傷病者が受けた解剖学的負傷の種類と、前記傷病者の年齢と、災害現場で利用可能な治療と、その他の施設で利用可能な治療と、その他の施設までの距離と、負傷者管理の実行に利用可能な施設または装置と、から成る群から選択された要因を考慮して決定されるものである。
【請求項１１】
請求項７の方法において、
前記分析的または数理的計画法技術は、傷病者の治療待ち時間に基づく各負傷者重症度に対する、傷病者の時間経過に伴う悪化率を含むものである。
【請求項１２】
請求項１１の方法において、
前記時間経過に伴う悪化率は、先端技術若しくはそれより劣るレベルの治療の利用可能性と、負傷事故の原因と、前記傷病者が受けた解剖学的負傷の種類と、前記傷病者の年齢と、災害現場で利用可能な治療と、その他の施設で利用可能な治療と、その他の施設までの距離と、負傷者管理の実行に利用可能な施設または装置とから成る群から選択された要因を考慮して決定されるものである。
【請求項１３】
請求項１の方法において、
前記複数の傷病者それぞれに対する前記治療順位をコンピュータの実施により決定する工程は、動的計画法公式を含むものである。
【請求項１４】
請求項１３の方法において、
前記動的計画法公式は、各複数の期間の治療に対してトリアージ方式で対処するための複数の傷病者の部分集合を決定し、全ての期間の合計生存者数を最大限にするものである。
【請求項１５】
請求項１の方法において、
前記複数の傷病者それぞれに対する前記治療順位をコンピュータの実施により決定する工程は、線形計画法公式を含むものである。
【請求項１６】
請求項１５の方法において、
前記線形計画法公式は、各複数の期間の治療に対してトリアージ方式で対処するための複数の傷病者の部分集合を決定し、この部分集合中の各傷病者に関する重症度を特定し、全ての期間の合計生存者数を最大限にするものである。
【請求項１７】
トリアージ法であって、
複数の負傷者それぞれに対する負傷者重症度を確定し、コンピュータ記憶装置に格納する工程と、
資源の利用可能性、負傷者重症度、及び治療遅延の期間に起因する負傷者重症度悪化率と、各負傷者が受けた外傷の種類と、各負傷者の分類と、各負傷者に適切で利用可能な治療センターの種類とから成る一群から選択される１若しくはそれ以上の要因を考慮して、前記複数の負傷者それぞれに対する治療順位をコンピュータの実施により決定する工程と、を有するものである。
【請求項１８】
請求項１７の方法において、
前記負傷者重症度はコード化された値の合計を含むものであって、コード化された値は傷病者の呼吸数、脈拍、最良運動反応それぞれに対して割り当てられるものである。
【請求項１９】
請求項１７の方法であって、さらに、
負傷事故の予想生存者数を前記コンピュータの実施により計算する工程を有するものである。
【請求項２０】
複数および集団トリアージ法であって、
複数の負傷者それぞれの呼吸数、脈拍、最良運動反応を評価し、その評価に基づきそれぞれにコード化された値を割り当て、このコード化された値をコンピュータ記憶装置に記録する工程と、
前記コード化された値を合計することによって前記複数の負傷者それぞれに対する重症度を確定し、この重症度を前記コンピュータ記憶装置に記録する工程と、
それぞれの負傷者若しくは負傷の原因となった事故の少なくとも１つの特徴に基づいた各重症度に生存率を割り当て、この生存率を前記コンピュータ記憶装置に記録する工程と、
分析的または数理的計画法技術によって前記複数の負傷者それぞれに対する治療順位をコンピュータの実施により決定する工程と、を有し、
前記計画法技術は重症度と、限られた資源が原因である治療遅延の期間と、生存率と、治療遅延の期間に起因する重症度に応用された悪化率と、を考慮するものである。
【請求項２１】
請求項２０の方法であって、さらに、
前記分析的または数理的計画法技術によって負傷事故の予想生存者数を前記コンピュータの実施により計算する工程を有するものである。
【請求項２２】
トリアージの方法を実行するためのコンピュータ・システムを設定するコンピュータ読み込み可能な媒体であって、前記方法は、
複数の傷病者それぞれに対する負傷者重症度を受信若しくは確定し、この負傷者重症度をコンピュータ記憶装置に格納する工程と、
前記負傷者重症度と資源利用可能性とを考慮して複数の傷病者それぞれに対する治療順位をコンピュータの実施により決定する工程と、を有するものである。
【請求項２３】
トリアージの方法を実行するためのコンピュータ・システムを設定するコンピュータ読み込み可能な媒体であって、前記方法は、
複数の負傷者それぞれに対する負傷者重症度を受信若しくは確定し、この負傷者重症度をコンピュータ記憶装置に格納する工程と、
資源の利用可能性と、負傷者重症度と、治療遅延の期間に起因する負傷者重症度悪化率とを考慮して前記複数の負傷者それぞれに対する治療順位をコンピュータの実施により決定する工程と、を有するものである。
【請求項２４】
トリアージの方法を実行するためのコンピュータ・システムを設定するコンピュータ読み込み可能な媒体であって、前記方法は、
複数の傷病者それぞれの呼吸数、脈拍、最良運動反応それぞれに対するコード化された値を受信し、このコード化された値をコンピュータ記憶装置に格納する工程と、
前記複数の傷病者それぞれに対する負傷者重症度を確定し、この負傷者重症度を前記コンピュータ記憶装置に格納する工程と、
資源利用可能性と前記負傷者重症度とを考慮して前記複数の傷病者それぞれに対する治療順位をコンピュータの実施により決定する工程と、を有するものである。
【請求項２５】
トリアージの方法を実行するためのコンピュータ・システムを設定するコンピュータ読み込み可能な媒体であって、前記方法は、
複数の負傷者それぞれの呼吸数、脈拍、最良運動反応を受信し、その評価に基づいたそれぞれに対してコード化された値を割り当て、このコード化された値をコンピュータ記憶装置に格納する工程と、
前記コード化された値を合計することによって前記複数の負傷者それぞれに対する重症度を確定し、この重症度を前記コンピュータ記憶装置に格納する工程と、
負傷者または負傷の原因となった事故の少なくとも１つの特徴に基づいた各重症度に生存率を割り当て、この生存率を前記コンピュータ記憶装置に格納する工程と、
分析的または数理的計画法技術によって前記複数の負傷者それぞれに対する治療順位をコンピュータの実施により決定する工程と、を有し、
前記計画法技術は、重症度と、限られた資源が原因である治療遅延の期間と、生存率と、治療遅延の期間に起因する重症度に応用された悪化率と、を考慮するものである。
【請求項２６】
請求項２５のコンピュータ読み込み可能な媒体において、
前記方法は前記分析的または数理的計画法技術によって事故の予想生存者数を前記コンピュータの実施により計算する手段をさらに有するものである。